(57)【要約】【課題】  小型軽量化を図り、ロープの損傷の少ない状態でかつ容易迅速にロープを張ることができ、さらにはレンチなどの工具を、フックを係止させている固定部材に接当させることなく操作することができるようにする点にある。【解決手段】  ロープ緊張装置において、回転部材２に、それの外周部の特定箇所に形成された導入孔２Ｈを通って回転部材２の左右幅方向両側に位置する横側部に形成された導出孔２Ｊから外部にロープ１を取り出すためのロープの挿通路を設け、回転部材２に備えさせた歯部２Ｇに噛み合って回転部材２を回転操作するための歯部６Ｇを備えた操作用回転部材６を本体に回転部材２を挟んでフック５とは反対側に位置する箇所に備えさせ、操作用回転部材６を工具にて外部から手動回転操作可能となるように操作用回転部材６の回転軸７の端部に工具装着部７Ｓを備えさせた。【選択図】        図４
2006105225.tif 000002
【特許請求の範囲】
【請求項１】
ロープを巻き取るための回転部材及び該回転部材の逆転を阻止する解除可能な逆転防止手段を備えた本体と、この本体にそれから外部に突出する状態で基端が取り付けられたフックとを備えてなるロープ緊張装置において、前記回転部材に、それの外周部の特定箇所に形成された導入孔を通って該回転部材の左右幅方向両側に位置する両横側部のうちの少なくとも一方に形成された導出孔から外部にロープを取り出すためのロープの挿通路を設け、前記回転部材に備えさせた歯部に噛み合って該回転部材を回転操作するための歯部を備えた操作用回転部材を前記本体に該回転部材を挟んで前記フックとは反対側に位置する箇所に備えさせ、前記操作用回転部材を工具にて外部から手動回転操作可能となるように該操作用回転部材の回転軸の端部に工具装着部を備えさせてなるロープ緊張装置。
【請求項２】
前記本体が、左右一対の分割ケースからなり、該分割ケース内に、前記回転部材、逆転防止手段、操作用回転部材を備えさせてなる請求項１に記載のロープ緊張装置。
【請求項３】
前記工具がレンチからなり、前記装着部がレンチ装着部からなる請求項１又は２に記載のロープ緊張装置。
【請求項４】
前記回転部材が、回転中心に横一側方が開口された凹部が形成されたほぼ円筒状の胴部を有するドラムと、このドラムの両横側部のそれぞれに該ドラムの外周部に巻回されるロープを受け止めるためのフランジ部と、このフランジ部の外周面に前記操作用回転部材の歯部に噛み合うように形成された歯部とからなり、前記胴部が、前記凹部を構成する内側環状部と、ロープが巻回される外周面を備え、かつ、前記フランジ部を備えた外側環状部と、前記内側環状部と外側環状部とを径方向で連結する多数のリブとから構成してなる請求項１〜３のいずれかに記載のロープ緊張装置。
【発明の詳細な説明】
【技術分野】
【０００１】
本発明は、ロープの緊張装置の技術に係わり、更に詳しくは、高所作業の転落防止用の親綱（親ロープとも言う）または建設や解体の工事現場で部材を仮支持するロープなどを張設する場合に用いられるロープ緊張装置であって、一端が固定されたロープの他端をロープ緊張装置に挿通させて外部に取り出し、その取り出したロープの他端を持って引き込んで弛みをある程度無くしてから、レンチなどの工具を用いて回転部材を回転操作することにより前記ロープを緊張させるためのロープ緊張装置に関する。
【背景技術】
【０００２】
高所作業の転落防止用の親ロープを緊張させるロープ緊張装置に関する従来技術として、対向する左右一対の側板と、該両側板の一端側同士を間隔をあけて連結する連結部と、前記両側板の他端側同士の間に回転自在に設けた回転部材と、前記両側板の一方の外面に設けて前記回転部材の逆回転を阻止するラチェット機構とを備え、前記回転部材に挿通孔が形成され、該挿通孔に前記ロープの端を引っ掛けて巻き取ることができる巻取部を構成してなるロープ緊張装置が知られている（例えば、特許文献１参照）。この従来のロープ緊張機は、回転部材の軸端にレンチを装着してこれを回転させ、手動操作でロープを回転部材に巻き取って緊張させる構造となっている。
【特許文献１】特開２００２−１４７５４０号公報（第１〜２頁、図１〜図５）
【発明の開示】
【発明が解決しようとする課題】
【０００３】
前記従来のロープ緊張装置は、一端が固定されたロープの端が引っ掛けられている回転部材を回転させて巻き取っていくことによって、弛んでいる状態のロープを張っていくことになるが、回転部材のロープ巻取部が角のある矩形状であるため、高所作業の転落防止用に用いられる被覆ワイヤーロープからなる親綱など、剛性の高いワイヤーロープを巻き取りこれを緊張する目的に対しては最適な形状であるとは言えない。即ち前記従来のロープ緊張装置は、角張った前記巻取部にロープを巻き取ると、ロープの被覆が損傷して内部の素線が断線して被覆表面に素線の先端が棘状に突き出し、これが手指のけがや作業衣を引っ掛かけて傷めるなどの原因になるだけでなく、弛んだ状態のロープを巻き取ると、ロープが乱巻き状となり、下層の乱れたロープの隙間に上層のロープが食い込んでしまい、次回のロープの緊張時にロープを緩めることが困難になったり、ロープの劣化が激しく耐久性が劣るなどといった問題がある。
又、この装置の場合、ロープ端から順次巻き取る方式であるため、弛んでいるロープ（余長）が長い場合は巻き取りに時間を要し作業性が劣るばかりでなく、巻き太るにつれて回転部材の回転操作が重くなる不都合がある。前記必要量の長さのロープを巻取部に巻き取るためには回転部材の径方向の寸法や横幅寸法を大きくする必要があり、装置の大型化と重量の増大化を招き特に高所での取扱に困難が伴うなどといった問題もあった。
また、ロープが乱巻きになると、次回のロープの緊張時にロープを緩めるためにラチェットを外すだけではロープを緩めることが困難で、装置を支える人とハンドルを逆転操作する人とロープを引き出す人など、２〜３人がかりでロープを引っ張り出す作業が必要となる場合もある。
【０００４】
本発明が前述の状況に鑑み、解決しようとするところは、小型軽量化を図ることができながらも、ロープの損傷の少ない状態で、かつ、容易迅速にロープを張ることができ、さらにはレンチなどの工具を操作して回転部材を回転させる場合に、フックを係止させているパイプや柱などの固定部材に工具を接当させることなく操作することができるロープ緊張装置を提供する点にある。
【課題を解決するための手段】
【０００５】
本発明は、前述の課題解決のために、ロープを巻き取るための回転部材及び該回転部材の逆転を阻止する解除可能な逆転防止手段を備えた本体と、この本体にそれから外部に突出する状態で基端が取り付けられたフックとを備えてなるロープ緊張装置において、前記回転部材に、それの外周部の特定箇所に形成された導入孔を通って該回転部材の左右幅方向両側に位置する両横側部のうちの少なくとも一方に形成された導出孔から外部にロープを取り出すためのロープの挿通路を設け、前記回転部材に備えさせた歯部に噛み合って該回転部材を回転操作するための歯部を備えた操作用回転部材を前記本体に該回転部材を挟んで前記フックとは反対側に位置する箇所に備えさせ、前記操作用回転部材を工具にて外部から手動回転操作可能となるように該操作用回転部材の回転軸の端部に工具装着部を備えさせて、ロープ緊張装置を構成した。
従って、一端が固定されたロープの他端を回転部材に形成されたロープ挿通路を通して外部に取り出し、その他端を手で引っ張ることにより、弛んだ状態のロープを迅速に張った状態（緊張状態）にすることができる。この状態からレンチなどの工具を用いて操作用回転部材を回転させて、ロープを回転部材に数回（例えば１〜３回転程度）巻き付けるだけでロープを強力に緊張させることができる。しかも、ロープの他端を引っ張ってある程度緊張させた状態で回転部材に巻くことができると同時に数回巻くだけであるから、ロープが乱巻き状態となることを回避することができ、緊張状態を解除するときでも、逆転防止手段を解除するだけで直ちに回転部材から巻き付けられているロープを解いて送り出すことができる。又、本体に回転部材を挟んでフックとは反対側に位置する箇所に、操作用回転部材の工具装着部を備えさせることによって、特にレンチなどの大きな回転揺動範囲を有する工具を工具装着部に装着して操作する場合に、フックを係止させている固定部材に工具を接当させるといったことがないだけでなく、固定部材からできるだけ離した状態で工具を操作することができる。前記操作用回転部材を回転部材よりも小径に構成しておけば、小さな操作力で回転部材を回転操作することができる。
【０００６】
前記本体が、左右一対の分割ケースからなり、該分割ケース内に、前記回転部材、逆転防止手段、操作用回転部材を備えさせてもよい。
【０００７】
前記工具がレンチからなり、前記装着部をレンチ装着部から構成してもよい。
【０００８】
前記回転部材が、回転中心に横一側方が開口された凹部が形成されたほぼ円筒状の胴部を有するドラムと、このドラムの両横側部のそれぞれに該ドラムの外周部に巻回されるロープを受け止めるためのフランジ部と、このフランジ部の外周面に前記操作用回転部材の歯部に噛み合うように形成された歯部とからなり、前記胴部が、前記凹部を構成する内側環状部と、ロープが巻回される外周面を備え、かつ、前記フランジ部を備えた外側環状部と、前記内側環状部と外側環状部とを径方向で連結する多数のリブとから構成してもよい。
【発明の効果】
【０００９】
回転部材にロープ挿通路を形成するだけで、弛んだロープを外部へ引きだしてある程度張った状態にしてからロープを回転部材に数回（例えば１〜３回転程度）巻き付けるだけでロープを緊張状態にすることができ、弛んだ状態のロープを巻き取りながら徐々に張っていく場合に比べて、ロープの緊張作業時間の短縮化を図ることができるだけでなく、ロープが乱巻き状になることがない。しかも、ロープを回転部材に数回（例えば１〜３回転程度）巻き付けることができる容量のものから装置を構成することができるから、その分小型軽量化を図ることができる。
又、本体に回転部材を挟んでフックとは反対側に位置する箇所に、操作用回転部材の工具装着部を備えさせることによって、工具装着部に工具を装着して操作する場合に、フックを係止させている固定部材に工具を接当させるといったことがないだけでなく、固定部材からできるだけ離した状態で工具を容易に操作することができ、より一層ロープの緊張作業を迅速に行うことができる。又、操作用回転部材を回転部材よりも小径に構成しておけば、小さな操作力で回転部材を回転操作することができ、ロープの緊張作業を軽い操作力で迅速かつ容易に行える利点がある。
【００１０】
本体が、左右一対の分割ケースからなり、その分割ケース内に、回転部材、逆転防止手段、操作用回転部材を備えさせることによって、それら多数の部材を左右の側板間に設ける場合に外部に露呈されることがないだけでなく、装置の衝撃強度を向上させることができる。又、左右の側板間に設ける構成の場合には、両側板を連結するための複数本の連結金具などを必要とし、部品点数の増大化を招くことになる。しかも、ケースの形状によっては部材の取り付け位置が規制されることがなく、設計の自由度を高めることができる。又、左右の分割ケースを同一のものから構成しておけば、ケースの製造を１つの金型で行うことができ、コスト面において有利になる。
【００１１】
回転部材が、回転中心に横一側方が開口された凹部が形成されたほぼ円筒状の胴部を有するドラムと、このドラムの両横側部のそれぞれに該ドラムの外周部に巻回されるロープを受け止めるためのフランジ部と、このフランジ部の外周面に操作用回転部材の歯部に噛み合うように形成された歯部とからなり、胴部が、凹部を構成する内側環状部と、ロープが巻回される外周面を備え、かつ、フランジ部を備えた外側環状部と、内側環状部と外側環状部とを径方向で連結する多数のリブとから構成することによって、回転部材の必要強度を確保することができながらも、回転部材の軽量化を図ることができる。
【発明を実施するための最良の形態】
【００１２】
図１〜図４に、例えば高所作業の転落防止用の親ロープを張設するために用いられるロープ緊張装置を示している。このロープ緊張装置は、ロープ１を巻き取るための回転部材２及び該回転部材２の逆転を阻止する解除可能な逆転防止手段３を備えた本体４と、この本体４にそれから外部に突出する状態で基端が取り付けられたフック５とを備えているが、図に示される構成に本発明は限定されるものではない。
【００１３】
前記本体４は、図２、図３及び図５に示すように、左右一対の分割ケース４Ａ，４Ａからなり、その分割ケース４Ａ，４Ａ内に、前記回転部材２、逆転防止手段３、後述する操作用回転部材６を備えさせている。前記分割ケース４Ａ，４Ａは左右対称型のものから構成されているが、左右非対称の分割ケースから構成することもできる。又、前記本体４を分割ケース４Ａ，４Ａから構成することによって、左右一対の側板及びそれら側板を連結するための複数の連結金具などで構成する場合に比べて、部品点数の削減化、強度アップを図れる他、他物が内部の部品に接当することを回避することができる利点があるが、左右一対の側板及びそれら側板を連結するための複数の連結金具などで構成してもよい。図３及び図５に示すＲ，Ｒは、分割ケース４Ａ，４Ａに形成されたロープ挿入口４Ｄを介してケース内に挿入されたロープ１を上下方向から接当案内して、ロープ１の挿入姿勢を規制するためのガイドローラであり、場合によっては省略して実施してもよい。又、図の４Ｅは、分割ケース４Ａ，４Ａ内の状態を確認したり、ロープ１の端を後述する回転部材２の導入孔２Ｈに挿入するときに目視するための開口であるが、必ずしも必要ではない。
【００１４】
図５及び図６に示すように、前記回転部材２は、回転中心に横一側方のみが開口２Ｋされた凹部２ａが形成されたほぼ円筒状の胴部２ｂを有するドラム２Ａと、このドラム２Ａの両横側部のそれぞれに該ドラム２Ａの外周部２Ｂに巻回されるロープ１を受け止めるためのフランジ部２Ｆと、これらフランジ部２Ｆ，２Ｆの外周面に後述する操作用回転部材６の歯部６Ｇに噛み合うように形成された多数の歯部２Ｇとからなっている。前記回転部材２の材料としては、金属が好ましいが、金属と同等の強度を有するものであれば、合成樹脂などで構成することもできる。
【００１５】
前記胴部２ｂは、前記凹部２ａを構成する内側環状部２Ｃと、ロープ１が巻回される外周面を備え、かつ、前記フランジ部２Ｆ，２Ｆを備えた外側環状部２Ｄと、前記内側環状部２Ｃと外側環状部２Ｄとを径方向で（放射線状に）連結する多数のリブ２Ｅとから構成してあり、軽量化を図りながらもリブ２Ｅを備えることで強度を高めることができるようにしているが、他の形状であってもよい。前記内側環状部２Ｃを他の部分よりも左右幅方向外方側へ突出させて左右の両端にボス部を形成しており、これらボス部を前記分割ケース４Ａ，４Ａそれぞれのほぼ中央に形成の貫通孔４Ｂ，４Ｂに嵌合させることにより、回転部材２を分割ケース４Ａ，４Ａに対して回転自在に支持させることができるようになっている。
【００１６】
前記回転部材２には、それの外周部２Ｂの特定一箇所に形成された導入孔２Ｈを通って該回転部材２の左右幅方向両側に位置する両横側部のうちの一方のほぼ回転中心に形成された導出孔２Ｊから外部にロープ１を取り出すためのロープ１の挿通路２Ｌを設けている。図では、導出孔２Ｊを一方の横側部にのみ形成しているが、両横側部に形成してどちら側からでもロープ１の端を外部に導き出すことができるようにしてもよいが、この場合には、回転部材２の強度低下を招くことになる。前記挿通路２Ｌは、図６に示すように、導入孔２Ｈと導出孔２Ｊとをほぼ４５度の角度で結んだ一直線状の経路になっているが、湾曲した経路でもよいし、断面形状がＬ字状の経路であってもよく、経路としての形状は自由に変更可能である。
【００１７】
前記本体４には、前記回転部材２に備えさせた歯部２Ｇ，２Ｇに噛み合って該回転部材２を回転操作するための多数の歯部６Ｇを備えた操作用回転部材としての左右一対のギヤ６，６を備えさせている。具体的には、前記ギヤ６，６を断面形状が六角の回転支軸７に一体回転状態で外嵌し、その回転支軸７の両端をリング部材８を介して分割ケース４Ａ，４Ａの貫通孔４Ｆ，４Ｆにそれぞれ回転自在に支持させている。又、前記ギヤ６を、前記本体４に回転部材２を挟んで前記フック５とは反対側に位置する箇所、つまりフック５から離間する側に備えさせ、前記回転支軸７の一端を分割ケース４Ａから外部へ設定長さ突出するように構成することによって、ギヤ６，６を工具にて外部から手動回転操作可能となる工具装着部７Ｓを構成している。従って、工具装着部７Ｓに工具である六角レンチの先端を嵌合させてから、六角レンチを揺動操作することによりギヤ６，６を回転させると同時に回転部材２を回転させることで、ロープ１を緊張操作することができ、この緊張操作中に、揺動操作している六角レンチがフック５を係止固定している固定部材（図ではパイプＰ）に接当することがないようにしている。
【００１８】
前記フック５は、分割ケース４Ａ，４Ａの長手方向一端に嵌合固定されるカラー１９に揺動自在に外嵌され、一端が他端よりも長い逆Ｕ字状の鉤部材５Ａと、基端側が鉤部材５Ａの基端部にピン９を介して揺動可能に連結支持され、かつ、先端が鉤部材５Ａの短い側である他端の内側面に接するように図示していないバネにより揺動付勢された外れ止め部材５Ｂと、鉤部材５Ａの基端部外側に一端がピン１０を介して揺動可能に支持され、かつ、他端に形成の長孔１２Ａに前記外れ止め部材５Ｂの基端部から延出された延出部に備えさせた軸１１を貫通して外れ止め部材５Ｂの揺動を規制可能なロックレバー１２とで構成されている。従って、ロックレバー１２をピン１０の軸芯周りで図１で示す矢印の方向へ揺動操作することによって、長孔１２Ａの一端に位置している軸１１が他端側へ移動可能となるため、外れ止め部材５Ｂをピン９の軸芯周りで図１で示す矢印の方向へ揺動操作することで、開いて図４及び図７で示すパイプＰに係止しているフック５を係止解除することができるようになっているが、他の構成であってもよい。
【００１９】
前記逆転防止手段３は、図３及び図５に示すように、前記左右のギヤ６，６の間に位置させて前記回転支軸７に一体回転状態で外嵌し、かつ、外周に多数の爪１２Ａが形成された爪車１２と、この爪車１２の爪１２Ａに一方側の回転時にのみ噛み合って該爪車１２の逆回転を阻止するために前記分割ケース４Ａ，４Ａに嵌合固定されるピン１４に外嵌固定される爪部材１３と、この爪部材１３の爪部１３Ａが前記爪車１２の爪１２Ａに噛み合うように該爪部材１３を揺動付勢するためのバネ１５とからなるラチェット機構から構成されているが、他の構成であってもよい。前記分割ケース４Ａ，４Ａに、前記爪車１２に噛み合っている爪部材１３を噛み合い解除操作することができるように外部から指を入れることができる開口４Ｃを形成している。
【００２０】
前記ロープ緊張装置の使用方法を説明する。ロープ緊張装置は、例えば建設現場の足場に作業者の転落防止用安全ロープの親ロープを張設してこの親ロープを緊張させる作業に用いるほか、工事現場の通路確保用の安全ロープの張設作業、構造物の組み立て時の柱部材などの仮支持など各種作業におけるロープの緊張用の道具として多目的に用いる。
具体的には、外径１１ｍｍのビニール被覆付きワイヤロープ（ワイヤロープ外径１０ｍｍ、被覆材の厚さ約０．５ｍｍ）を親ロープ１として使用し、その親ロープ１の一端に取り付けられたフック１６を、図７に示すように、約１０ｍの間隔で配置された１対のパイプ（支柱）Ｐ，Ｐの一方に係止し、他端を前記他方のパイプＰにフック部５を引っ掛けたロープ緊張装置の回転部材２に前述のように通してロープ１の端を外部に引っ張り出してある程度手で張ってから、六角レンチを用いてロープ緊張装置を操作して（回転部材２に親ロープ１を１〜３回巻き付けて）、親ロープ１のスパンＬが約１０ｍ、高さＨが約３ｍになるようにして水平に張設するようにしている。このように張設された親ロープ１の中間部に、作業者に一端が連結されているフック付ロープ１７のフック１８を親ロープ１に係止させて作業を安全に行えるようにしている。
前記親ロープと称されるロープは、一般に、合成繊維素材からなる外径約１６ｍｍの繊維ロープ、または約１０ｍｍのワイヤロープに厚さ約０．５〜１ｍｍのビニール被覆を施した外径が約１１〜約１２ｍｍのビニール被覆付きワイヤロープが用いられるが、他の構成のロープであってもよい。
前記ロープは回転部材２のロープ挿通路２Ｌを通しただけでは係止はされないが、ロープ１に適度な剛性があることと、ロープ１を回転部材２に数回（通常１〜３回転程度）巻き付けるとロープ１が緊張を増して回転部材２の外周面との摩擦力が発生するだけでなく、ロープ挿通路２Ｌの導入孔２Ｈでロープ１が曲げられることなどの理由により、ロープ挿通路２Ｌに適度な移動抵抗力が発生してロープ１の抜け出しが規制されることになる。
【図面の簡単な説明】
【００２１】
【図１】ロープ緊張装置の平面図である。
【図２】ロープ緊張装置の側面図である。
【図３】ロープ緊張装置の縦断平面図である。
【図４】ロープ緊張装置の横断側面図である。
【図５】フックを省略したロープ緊張装置の分解斜視図である。
【図６】回転部材の断面図である。
【図７】所定間隔を置いて立設した一対のパイプ間にロープをロープ緊張装置にて緊張した状態を示す説明図である。
【符号の説明】
【００２２】
１  ロープ（親ロープ）
２Ａ  ドラム
２Ｅ  リブ
２Ｆ  フランジ部
２Ｌ  ロープ挿通路
２ａ  凹部
２  回転部材
２Ｋ  開口
２Ｂ  外周部
２Ｄ  外側環状部
２Ｇ  歯部
２Ｊ  導出孔
２Ｈ  導入孔
２ｂ  胴部
２Ｃ  内側環状部
３  逆転防止手段
４Ｄ  ロープ挿入口
４Ｃ  開口
４Ａ  分割ケース
４Ｂ  貫通孔
４Ｆ  貫通孔
４  本体
５  フック
５Ｂ  部材
５Ａ  鉤部材
６  ギヤ（操作用回転部材）
６Ｇ  歯部
７  回転支軸
７Ｓ  工具装着部
８  リング部材
９  ピン
１０  ピン
１１  軸
１２  ロックレバー
１２Ａ  長孔
１２Ａ  爪
１２  爪車
１３Ａ  爪部
１３  爪部材
１４  ピン
１５  バネ
１６  フック
１７  フック付ロープ
１８  フック
１９  カラー
Ｐ     パイプ
【図１】
2006105225.tif 000003
【図２】
2006105225.tif 000004
【図３】
2006105225.tif 000005
【図４】
2006105225.tif 000006
【図５】
2006105225.tif 000007
【図６】
2006105225.tif 000008
【図７】
2006105225.tif 000009